(57)【要約】      （修正有）【課題】タイルカーペットを強力に固着し、接着剤や両面粘着テーフ等の資材を必要とせず、資材コストが低いことに加えて、ＯＡフロアー施行が容易であるＯＡフロアー構造体を提供する。【解決手段】矩形の上面フロアー部１６、及び少なくとも該上面フロアー部１６の四隅領域にある脚部１８を有するフロアーパネル１２であって、錐形針部２４がフロアーパネル１２の上面フロアー部１６をｎの二乗等分する区分領域のうち少なくとも四隅の区分領域に形成され、隣り合う四隅の区分領域に挟まれた区分領域には形成されていないフロアーパネル１２と、底面に、錐形針部２４が刺さるパッキング樹脂層を有するタイルカーペットとを有するＯＡフロアー構造体であって、錐形針部２４の高さがパッキング樹脂層の厚さの１／２から２／２であり、かつ錐形針部２４の先端角度が２０°から４５°の間である。【選択図】図２
0003212168.tif 000002
【実用新案登録請求の範囲】
【請求項１】
矩形の上面フロアー部、及び少なくとも該上面フロアー部の四隅領域にある脚部を有するフロアーパネルであって、錐形針部が前記フロアーパネルの上面フロアー部をｎの二乗等分（ｎは３〜５の整数）する区分領域のうち少なくとも四隅の区分領域に形成され、隣り合う前記四隅の区分領域に挟まれた区分領域には形成されていない前記フロアーパネルと、
底面に、前記錐形針部が刺さるバッキング樹脂層を有するタイルカーペットと
を有するＯＡフロアー構造体であって、
前記脚部が、積み重ねられたフロアーパネルの下側のものの前記錐形針部を間隙を設けて受け入れる空間を有し、
前記錐形針部の高さが前記硬化樹脂層の厚さの１／２から２／２であり、かつ前記錐形針部の先端角度が２０°から４５°の問であることを特徴とするＯＡフロアー構造体。
【請求項２】
前記錐形針部が、円錐形であることを特徴とする請求項１に記載のＯＡフロアー構造体。
【請求項３】
前記錐形針部が、多角錐形であることを特徴とする請求項１に記載のＯＡフロアー構造体。
【請求項４】
前記ｎが、３であることを特徴とする請求項１に記載のＯＡフロアー構造体。
【請求項５】
前記錐形針部が、前記上面フロアー部の中心の区分領域に形成されていることを特徴とする請求項４に記載のＯＡフロアー構造体。
【請求項６】
前記錐形針部が、前記上面フロアー部の中心の区分領域に形成されていないことを特徴とする請求項４に記載のＯＡフロアー構造体。
【請求項７】
前記ｎが、４であり、前記上面フロアー部の中心に隣接する区分領域の一つに少なくとも一つの錐形針部があることを特徴とする請求項１に記載のＯＡフロアー構造体。
【請求項８】
前記ｎが、５であり、前記上面フロアー部の中心にある区分領域に錐形針部があることを特徴とする請求項１に記載のＯＡフロアー構造体。
【考案の詳細な説明】
【技術分野】
【０００１】
本考案は、ＯＡフロアー構造体、さらに詳しくは、建造物フロアー上にＯＡ配線を通すための空間を設けたＯＡフロアー構造体に関する。
【背景技術】
【０００２】
（従来の技術）
従来、建造物フロアーにＯＡ配線を通す空間を設けるために、合成樹脂成型品であって複数の脚部によってフロアー面を嵩上げするＯＡフロアーパネル（以下、フロアーパネルという）が使用されている。そして、通常は敷き詰めたフロアーパネル上にタイルカーペットを敷く。
【０００３】
前記タイルカーペットは、長期にわたってフロアーパネルに固着されていることが必要である。そのため、従来は、フロアーパネル上面に接着剤で接着したり、フロアーパネル上面に両面粘着テーフを貼付してタイルカーペットを固着することが行われている。
また、タイルカーペットを長期にわたってフロアーパネルを固着するために、フロアーカーペットの上面に２００ｍｍ以下の間隔で突起物を設けることが提案されている（例えば、特許文献１参照）。
【先行技術文献】
【特許文献】
【０００４】
【特許文献１】特開２００５−１３９８７５号公報
【考案の概要】
【考案が解決しようとする課題】
【０００５】
上述した従来の接着剤や両面粘着テープを使う方法は、接着剤や両面粘着テープの接着力の経時劣化が激しく、長期の使用に不向きである。接着剤の接着力の経時劣化は、タイルカーペットの隅部が捲れ上がって、危険であり、美感上も好ましくない。また、タイルカーペットの下にゴミが入り、衛生上また電気的安全上好ましくない。
また、タイルカーペットをフロアーパネルに貼り付けるための接着剤や両面粘着テープは、高価であり、またこれらの施行費用も大きい。特に、接着剤の場合、塗布後乾燥するまでに時間を要し、工事期間が長くなる。
【０００６】
さらに、接着力の経時劣化により剥がされた接着剤や両面粘着テープの一部は、フロアーパネル上に残り、汚く、見苦しくなる。例えば、一定期間毎のＯＡ機器の交換や配置換えのためにタイルカーペットをフロアーパネルから剥がすことが必要であり、リフォーム時のこれらの接着剤や両面粘着テープによるフロアーパネルの汚れの問題の解消は、強く望まれている。
【０００７】
一方、上述したフロアーパネルの上面に２００ｍｍ以下の間隔で突起物を設ける従来技術は、接着剤や両面粘着テープのもたらす接着力の経時劣化や残渣接着剤によるフロアーパネルの汚れの問題は発生しない。しかし、突起物の数が多過ぎ、タイルカーペットのバッキング樹脂層がフロアーパネル突起物の根元まで届いて押圧固着することが困難である。その結果、タイルカーペットがフロアーパネルと密着できず、タイルカーペットの水平方向の力によってフロアーパネル上で移動したり剥がれたりし易い問題ある。
【０００８】
さらに、タイルカーペットをフロアーパネルに強く押圧することによって固着力を高めた場合、タイルカーペットのバッキング層に多数の抜け孔が形成される。その結果、タイルカーペットの再利用が不可能になり、表面のカーペット部分が使用可能であるにも拘わらず廃棄されることになる。
【０００９】
すなわち、フロアーパネルの上面の全面に突起物を設けた場合、タイルカーペットに水平方向の力が作用した場合、フロアーパネルの突起物がタイルカーペットをフロアーパネルから持ち上げる力が発生し、結果的にタイルカーペットのフロアーパネルへの固着力は小さいという問題がある。
【００１０】
（考案の目的）
本考案は、ＯＡフロアー構造体に関する上述した従来技術の問題を解決するため、接着剤や両面粘着テープ等の資材を必要とせず、資材コストが低いことに加えて、ＯＡフロアー施行が容易で効率的に施行作業ができるＯＡフロアー構造体を提供することを目的とする。
本考案は、また、リフォーム等の際、ＯＡ配線換え等のためにタイルカーペットを剥がしても、接着剤残留等の汚れをもたらさない上に、バッキング層の損傷を最小限に抑えたＯＡフロアー構造体を提供することを目的とする。
【００１１】
本考案は、さらに、従来の接着剤や両面粘着テープを使う方法における接着剤や両面粘着テープの接着力の経時劣化の問題を排除しながら、フロアーパネルとタイルカーペットの強い固着力によって、タイルカーペットの隅部が捲れ上がって危険かつ美感上も好ましくない問題の発生を防ぐことが可能なＯＡフロアー構造体を提供することを目的とする。さらにまた、タイルカーペットの下にコミが入り、衛生上また電気安全上も問題のないＯＡフロアー構造体を提供することを目的とする。
【課題を解決するための手段】
【００１２】
上述した目的を達成する本考案は、
矩形の上面フロアー部、及び少なくとも該上面フロアー部の四隅領域にある脚部を有するフロアーパネルであって、錐形針部が前記フロアーパネルの上面フロアー部をｎの二乗等分（ｎは３〜５の整数）する区分領域のうち少なくとも四隅の区分領域に形成され、隣り合う前記四隅の区分領域に挟まれた区分領域には形成されていない前記フロアーパネルと、
底面に、前記錐形針部が刺さるバッキング樹脂層を有するタイルカーペットと
を有するＯＡフロアー構造体であって、
前記脚部が、積み重ねられたフロアーパネルの下側のものの前記錐形針部を間隙を設けて受け入れる空間を有し、
前記錐形針部の高さが前記バッキング樹脂層の厚さの１／２から２／２であり、かつ前記錐形針部の先端角度が２０°から４５°の問であることを特徴とするＯＡフロアー構造体
である。
【００１３】
本考案は、上述した目的を達成するため、より好ましくは以下のように構成される。
前記錐形針部が、円錐形であることを特徴とする。
前記錐形針部が、多角錐形であることを特徴とする。
前記ｎが、３であることを特徴とする。
前記錐形針部が、前記上面フロアーパネル部の中心の区分領域に形成されていることを特徴とする。
前記錐形針部が、前記上面フロアーパネル部の中心の区分領域に形成されておらず平面であることを特徴とする。
前記ｎが、４であり、上面フロアー部の中心に隣接する区分領域の一つに少なくとも一つの錐形針部があることを特徴とする。
前記ｎが、５であり、上面フロアー部の中心に錐形針部があることを特徴とする。
【考案の効果】
【００１４】
本考案のＯＡフロアー構造体によれば、接着剤や両面粘着テープ等の資材を必要とせず、資材コストが低いことに加えて、工事ミス等によるタイルカーペットの張り直しも容易である効果を得ることができる。
本考案のＯＡフロアー構造体によれば、また、リフォームやＯＡ配線換え等のためにタイルカーペットを剥がしても接着剤残留等の汚れをもたらさない上に、再使用するタイルカーペットのバッキング樹脂層の損傷が少ないという効果を得ることができる。
【００１５】
本考案のＯＡフロアー構造体によれば、さらに、従来の接着剤や両面粘着テープを使う方法における接着剤や両面粘着テープの接着力の経時劣化の問題を排除しながら、フロアーパネルとタイルカーペットとの強い固着力によって、タイルカーペットの隅部が捲れ上がって危険かつ美感上も好ましくない問題の発生を防ぐことができる効果を有する。
【００１６】
本考案のＯＡフロアー構造体によれば、さらにまた、タイルカーペットの下にゴミが入り、衛生上また電気安全上も問題のないＯＡフロアー構造体を構成できる効果を有する。
【００１７】
本考案のＯＡフロアー構造体によれば、さらにまた、リフォーム、ＯＡ配線変更等の際、フロアーパネルの表面や剥がしたタイルカーペットに粘着剤や接着剤の残渣がないことや、突起部位が少ないことにより、タイルカーペットの再利用率を従来より向上させることができる効果を有する。
【図面の簡単な説明】
【００１８】
【図１】第１実施形態のＯＡフロアー構造体斜視図である。
【図２】第１実施形態のフロアーパネルの上面斜視図である。
【図３】第１実施形態の錐形針部の斜視図である。
【図４】第１実施形態の錐形針部の断面図である。
【図５】第１実施形態のフロアーパネルの部分側面図である。
【図６】第２実施形態の錐形針部の斜視図である。
【図７】第２実施形態の錐形針部の断面図である。
【図８】第３実施形態のフロアーパネルの上面斜視図である。
【図９】第４実施形態のフロアーパネルの上面斜視図である。
【考案を実施するための形態】
【００１９】
以下に本考案のＯＡフロアー構造体の実施形態を、実施例として図に基づいて説明する
【００２０】
（第１実施形態）
本考案の第１実施形態のＯＡフロアー構造体１０は、図１の斜視図に示すように、フロアーパネル１２と、フロアーパネル１２の上に配置されたタイルカーペット１４からなる。ＯＡ室の床上には、このＯＡフロアー構造体１０を複数個隙間無く敷き詰める。敷き詰められたＯＡフロアー構造体１０は、公知の固着パーツ（図示せず）によって隣接するＯＡフロアー構造体１０に連結される。
【００２１】
フロアーパネル１２は、図２の上面斜視図に示すように、上面部１６と、４本の脚部１８を有する。
上面部１６は、全体的に平面であるが、図示するように浅い溝２０を設けることもある。上面部１６は、９等分した矩形部２２を形成し、四隅にある矩形部２２Ｎのほぼ中心位置に錐形針部２４が形成されている。
【００２２】
錐形針部２４は、図３の斜視図及び図４の断面図に示すように、円錐形である。錐形針部２４は、図４に示すように、先端角度の範囲が２０°から４５°の間である。先端角度がこの範囲より小さいと、錐形針部２４の強度が不足して、タイルカーペット１４による水平方向の荷重によって破壊する恐れがある。先端角度がこの範囲より大きいと、タイルカーペット１４による水平方向の荷重により、タイルカーぺット１４が上滑りする恐れがある。
【００２３】
錐形針部２４の高さは、タイルカーペット１４の後述するバッキング層４２の厚さの１／２から２／２である。錐形針部２４の高さがこれより低いとタイルカーペット４との保持力が不足し、またこれより高いと錐形針部２４がタイルカーペット１４を突き抜けて出る恐れがあり、危険である。
【００２４】
脚部１８は、成形材料の低減と剛性向上のために中空リブ状になっている。脚部１８に空間が形成される。該空間は、フロアーパネル１２を積み重ねたとき、錐形針部２４が当接しないように形成されている。
【００２５】
タイルカーペット１４は、図５に示すように、ポリプロピレン繊維のカーペット部４０と、バッキング層４２をラミネート加工すなわち張り合わせ処理してなる。バッキング層４２は、ガラスクロス４２−２を、可塑剤、炭酸カルシュウム等のフィラー等が入った塩化ビニル樹脂製の第１バッキング樹脂層４２ー１及び第２バッキング樹脂層４２ー３によってサンドイッチし、ラミネート加工すなわち張り合わせ処理してなる。
カーペット部４０の厚さは、多くは３ｍｍから６ｍｍであるが、消音効果、衝撃力吸収等を考慮して厚さ１０ｍｍ程度のものが使用されることもある。バッキング層４２の厚さは、多くは３ｍｍから６ｍｍである。フロアーマット１４の大きさは、多くは２５０ｍｍ平方，５００ｍｍ平方，あるいは巾１ｍの長尺連続巻物である。
【００２６】
（第２実施形態）
第２実施形態の錐形針部１２４は、図６の斜視図及び図７の断面図に示すように、四角錐形である。該四角錐形は、先端角度の範囲が２０°から４５°の問である先端角度がこの範囲より小さいと、錐形針部１２４の強度が不足して、フロアーマット１４による水平方向の荷重によって破壊する恐れがある。先端角度がこの範囲より大きいと、フロアーマット１４による水平方向の荷重によりフロアーマット１４が上滑りする恐れがある。
第２実施形態の錐形針部１２４は四角錐であるが、これに制限されることはなく、三角錐や他の角錐形であってもよい。
【００２７】
（第３実施形態）
第３実施形態のＯＡフロアー構造体２００は、第１実施形態と同一の構成についてはその説明を省略する。第３実施形態のＯＡフロアー構造体２００においては、図８の上面斜視図に示すように、フロアーパネル２１２は、図８に示すように、１６等分を想定するとき、矩形部２２２Ａ〜２２２Ｐが形成されている。四隅にある矩形部２２２Ａ，２２２Ｄ，２２２Ｍ，２２２Ｐと中心Ｃｅに隣接する矩形２２２Ｆに錐形針部２２４が形成されている。
【００２８】
（第４実施形態）
第４実施形態のＯＡフロアー構造体３００は、第１実施形態と同一の構成についてはその説明を省略する。第４実施形態のＯＡフロアー構造体３００においては、図９に示すように、フロアーパネル３１２は、図９の上面斜視図に示すように、２５等分を想定するとき、矩形部３２２Ａ〜３２２Ｙが形成されている。四隅にある矩形部３２２Ａ，３２２Ｅ，３２２Ｕ，３２２Ｙと、中心にある矩形３２２Ｍに錐形針部３２４が形成される。
【符号の説明】
【００２９】
１０                            ＯＡフロアー構造体
１２，２１２，３１２            フロアーパネル
１４                            タイルカーペット
１６                            上面部
１８                            脚部
２０                            溝
２２Ａ〜２２Ｉ                  矩形部
２４、１２４、２２４、３２４    錐形針部
４０                            カーペット部
４２                            バッキング層
２２２Ａ〜２２２Ｐ              矩形部
３２２Ａ〜３２２Ｐ              矩形部
【図１】
0003212168.tif 000003
【図２】
0003212168.tif 000004
【図３】
0003212168.tif 000005
【図４】
0003212168.tif 000006
【図５】
0003212168.tif 000007
【図６】
0003212168.tif 000008
【図７】
0003212168.tif 000009
【図８】
0003212168.tif 000010
【図９】
0003212168.tif 000011
【手続補正書】
【提出日】平成29年7月3日(2017.7.3)
【手続補正１】
【補正対象書類名】明細書
【補正対象項目名】００１２
【補正方法】変更
【補正の内容】
【００１２】
上述した目的を達成する本考案は、
矩形の上面フロアー部、及び少なくとも該上面フロアー部の四隅領域にある脚部を有するフロアーパネルであって、錐形針部が前記フロアーパネルの上面フロアー部をｎの二乗等分（ｎは３〜５の整数）する区分領域のうち少なくとも四隅の区分領域に形成され、隣り合う前記四隅の区分領域に挟まれた区分領域には形成されていない前記フロアーパネルと、
底面に、前記錐形針部が刺さるバッキング樹脂層を有するタイルカーペットと
を有するＯＡフロアー構造体であって、
前記脚部が、積み重ねられたフロアーパネルの下側のものの前記錐形針部を間隙を設けて受け入れる空間を有し、
前記錐形針部の高さが前記バッキング樹脂層の厚さの１／２から２／２であり、かつ前記錐形針部の先端角度が２０°から４５°の間であることを特徴とするＯＡフロアー構造体
である。
【手続補正２】
【補正対象書類名】実用新案登録請求の範囲
【補正対象項目名】全文
【補正方法】変更
【補正の内容】
【実用新案登録請求の範囲】
【請求項１】
矩形の上面フロアー部、及び少なくとも該上面フロアー部の四隅領域にある脚部を有するフロアーパネルであって、錐形針部が前記フロアーパネルの上面フロアー部をｎの二乗等分（ｎは３〜５の整数）する区分領域のうち少なくとも四隅の区分領域に形成され、隣り合う前記四隅の区分領域に挟まれた区分領域には形成されていない前記フロアーパネルと、
底面に、前記錐形針部が刺さるバッキング樹脂層を有するタイルカーペットと
を有するＯＡフロアー構造体であって、
前記脚部が、積み重ねられたフロアーパネルの下側のものの前記錐形針部を間隙を設けて受け入れる空間を有し、
前記錐形針部の高さが前記バッキング樹脂層の厚さの１／２から２／２であり、かつ前記錐形針部の先端角度が２０°から４５°の間であることを特徴とするＯＡフロアー構造体。
【請求項２】
前記錐形針部が、円錐形であることを特徴とする請求項１に記載のＯＡフロアー構造体。
【請求項３】
前記錐形針部が、多角錐形であることを特徴とする請求項１に記載のＯＡフロアー構造体。
【請求項４】
前記ｎが、３であることを特徴とする請求項１に記載のＯＡフロアー構造体。
【請求項５】
前記錐形針部が、前記上面フロアー部の中心の区分領域に形成されていることを特徴とする請求項４に記載のＯＡフロアー構造体。
【請求項６】
前記錐形針部が、前記上面フロアー部の中心の区分領域に形成されていないことを特徴とする請求項４に記載のＯＡフロアー構造体。
【請求項７】
前記ｎが、４であり、前記上面フロアー部の中心に隣接する区分領域の一つに少なくとも一つの錐形針部があることを特徴とする請求項１に記載のＯＡフロアー構造体。
【請求項８】
前記ｎが、５であり、前記上面フロアー部の中心にある区分領域に錐形針部があることを特徴とする請求項１に記載のＯＡフロアー構造体。